(57)【特許請求の範囲】
【請求項１】
動力式外科用機器のためのハウジング部材であって、
一体型基体と、
前記基体内に形成された回転子ハウジングチャンバと、
前記基体内に形成され、前記回転子ハウジングチャンバに隣接して位置する第１の軸受ハウジングと、
前記基体内に形成され、前記回転子ハウジングチャンバの、前記第１の軸受ハウジングとは反対の側に位置する第２の軸受ハウジングと、
前記基体内に形成され、当該基体を通って前記回転子ハウジングチャンバへと加圧流体を導くように動作可能な流路と、
複数の回転子ハウジング流体入口と、
を備え、
前記流路中の加圧流体が当該回転子ハウジング流体入口を通って前記回転子ハウジングチャンバに入る、ハウジング部材。
【請求項２】
請求項１記載のハウジング部材において、
前記基体内に形成され、前記第１の軸受ハウジングの、前記回転子ハウジングチャンバとは反対の側に位置する加圧流体入口を更に備えるハウジング部材。
【請求項３】
請求項２記載のハウジング部材において、
前記基体内に形成され、前記第１の軸受ハウジングと前記加圧流体入口の間に位置する流路入口を更に備え、それにより当該加圧流体入口に入る加圧流体が当該流路入口を通って前記流路に入る、ハウジング部材。
【請求項４】
請求項１記載のハウジング部材において、
前記回転子ハウジング流体入口は、前記基体内に形成された、ハウジング部材。
【請求項５】
請求項１記載のハウジング部材において、
前記基体内に形成された回転子ハウジング流体出口を更に備え、それにより前記回転子ハウジングチャンバ内の流体が当該回転子ハウジング流体出口を通って当該回転子ハウジングチャンバから出る、ハウジング部材。
【請求項６】
請求項１記載のハウジング部材において、
前記基体内に形成され、栓を受け入れるように動作可能な流路開口を更に備えるハウジング部材。
【請求項７】
動力式外科用機器のためのアセンブリであって、
一体型基体と、
前記基体内に形成された回転子ハウジングチャンバと、
前記基体内に形成され、前記回転子ハウジングチャンバに隣接して位置する第１の軸受ハウジングと、
前記基体内に形成され、当該基体を通って前記回転子ハウジングチャンバへと加圧流体を導くように動作可能な流路と、
前記第１の軸受ハウジング内に位置する第１の軸受と、
前記回転子ハウジングチャンバ内に位置し、前記第１の軸受に係合する回転可能なシャフトと、
複数の回転子ハウジング流体入口と、
を備え、
前記流路中の加圧流体が当該回転子ハウジング流体入口を通って前記回転子ハウジングチャンバに入り、当該回転子ハウジングチャンバと当該基体の外側との間に流体通路を形成する、アセンブリ。
【請求項８】
請求項７記載のアセンブリにおいて、
前記基体内に形成され、前記回転子ハウジングチャンバの、前記第１の軸受ハウジングとは反対の側に位置する第２の軸受ハウジングと、
前記第２の軸受ハウジング内に位置する第２の軸受とを更に備え、
前記回転可能なシャフトが前記第２の軸受に係合する、アセンブリ。
【請求項９】
請求項８記載のアセンブリにおいて、
前記第２の軸受ハウジング内に位置し、前記第２の軸受に隣接して位置する軸受板を更に備えるアセンブリ。
【請求項１０】
請求項７記載のアセンブリにおいて、
前記第１の軸受ハウジング内に少なくとも部分的に位置し、前記第１の軸受および前記回転可能なシャフトに係合する締め具を更に備えるアセンブリ。
【請求項１１】
請求項７記載のアセンブリにおいて、
前記第１の軸受ハウジング内に少なくとも部分的に位置し、前記第１の軸受に係合する軸受保持器部材を更に備えるアセンブリ。
【請求項１２】
請求項７記載のアセンブリにおいて、
前記基体内に形成され、前記第１の軸受ハウジングの、前記回転子ハウジングチャンバとは反対の側に位置する加圧流体入口を更に備えるアセンブリ。
【請求項１３】
請求項１２記載のアセンブリにおいて、
前記基体内に形成され、前記第１の軸受ハウジングと前記加圧流体入口との間に位置する流路入口を更に備え、それにより当該加圧流体入口に入る加圧流体が前記流路入口を通って前記流路に入る、アセンブリ。
【請求項１４】
請求項７記載のアセンブリにおいて、
前記回転子ハウジング流体入口は、前記基体内に形成された、アセンブリ。
【請求項１５】
請求項７記載のアセンブリにおいて、
前記基体内に形成された回転子ハウジング流体出口を更に備え、それにより前記回転子ハウジングチャンバ内の流体が、前記回転子ハウジング流体出口を通って当該回転子ハウジングチャンバから出る、アセンブリ。
【請求項１６】
請求項７記載のアセンブリにおいて、
前記基体内に形成され、栓を受け入れるように動作可能な流路開口を更に備えるアセンブリ。
【発明の詳細な説明】
【技術分野】
【０００１】
本開示は、一般に外科用機器に関し、詳細には、骨および他の組織を切断するための外科用機器に関する。
【背景技術】
【０００２】
モータ付きの外科用機器は、動く構成部品に動力を与えるために、さまざまな方法を使用することができる。たとえば、骨または組織を切断するために用いるモータ付きの外科用機器は、切断ツールに動力を与えるために空圧モータを使用することができる。加圧流体が、回転可能なシャフトを用いて切断ツールに機械的に連結できるモータに動力を与える。モータに加圧流体を当てることによってシャフトが回転し、それにより切断ツールが回転する。
【０００３】
空圧式の外科用機器の組立ておよび動作には、困難が伴うことがある。従来の空圧式の外科用機器では、回転子ハウジングによって画定される回転子ハウジングチャンバ内に、回転可能なシャフトを収容する。回転子ハウジングチャンバ内でシャフトが自在に回転できるようにするために、複数の構成部品、たとえば、軸受、軸受ハウジング、流体分配器、および当技術分野で知られているさまざまな他の構成部品が、回転子ハウジングに結合される。加えて、それらの構成部品がその組立てにおいて確実に正しく位置決めされるようにするために、位置合わせピン（an alignment pin）を使用して、構成部品を回転子ハウジングおよびシャフトに位置合わせすることができる。回転子ハウジングに結合される構成部品の数が増えるほど、構成部品と回転子ハウジングの間の許容差により、外科用機器自体の組立再現性が困難になる。したがって、外科用機器のための改良されたアセンブリが必要とされている。
【発明の概要】
【課題を解決するための手段】
【０００４】
本開示は、動力式外科用機器のための改良されたモータアセンブリおよび／または動力式外科用機器を使用するための改良されたシステムおよび方法を提供するために、単独でまたは組み合わせて使用できる、多くの技術的進歩を提供する。
【０００５】
一実施形態においては、動力式外科用機器のためのハウジング部材は、一体型基体と、基体によって画定される回転子ハウジングチャンバと、基体によって画定され、回転子ハウジングチャンバに隣接して位置する第１の軸受ハウジングと、基体によって画定され、回転子ハウジングチャンバの、第１の軸受ハウジングとは反対の側に位置する第２の軸受ハウジングと、基体によって画定され、基体を通って回転子ハウジングチャンバへと加圧流体を導くように動作可能な流路とを備える。
【０００６】
さらなる形態および実施形態は、以下に示す詳細な説明から明らかになるであろう。詳細な説明および特定の例は、好ましい実施形態を示してはいるものの、例示を目的とするものにすぎず、限定することを意図するものでないことを理解されたい。
【０００７】
本開示は、詳細な説明および添付の図面から、より完全に理解されるであろう。
【図面の簡単な説明】
【０００８】
【図１】開頭術（craniotomy）を行うために患者と動作的に結び付けた、本開示の一実施形態の教示による、骨および他の組織の切断のための外科用機器の一実施形態を示す環境図である。
【図２】ホースアセンブリと動作的に結び付けた、本開示の一実施形態の教示による、骨および他の組織を切断するための外科用機器の実施形態を示す斜視図である。
【図３ａ】図２の外科用機器の一部分の一実施形態を示す分解斜視図である。
【図３ｂ】図２および図３ａに示される外科用機器に使用されるハウジング部材の一実施形態を示す斜視図である。
【図３ｃ】図３ｂに示されるハウジング部材の一実施形態を示す側面図である。
【図３ｄ】図３ｂの線３ｄ−３ｄに沿って、図３ｂに示されるハウジング部材の一実施形態を示す断面図である。
【図３ｅ】図３ｂに示されるハウジング部材の、図３ｄに示されていない残りの部分の一実施形態を示す断面図である。
【図３ｆ】図３ｂに示される回転子ハウジングの一実施形態を示す、図３ｃの線３ｆ−３ｆに沿った断面図である。
【図３ｇ】図３ａに示される組み立てた外科用機器の一部分の一実施形態を示す部分断面図である。
【図４】図２に示される外科用機器の一部分の一実施形態を示す部分断面図である。
【図５】ハウジング部材の一代替の実施形態を示す斜視図である。
【発明を実施するための形態】
【０００９】
本開示は、外科用ツールに関し、より詳細には動力式外科用機器に使用するためのハウジング部材およびモータアセンブリに関する。しかしながら、以下の開示では、本発明のさまざまな特徴を実現するための多くの異なる実施形態または例を示すことを理解されたい。本開示を簡単にするために、構成部品および配置の特定の例について以下に説明する。当然ながら、それらは例示を目的とするものにすぎず、限定することを意図するものではない。加えて、本開示は、さまざまな例において参照数字および／または参照文字を繰り返すことがある。この繰り返しは、簡潔かつ明確にするためのものであり、それ自体がここで論じるさまざまな実施形態間および／または構成間の関係を規定するものではない。
【００１０】
最初に図１を参照すると、本発明の第１の好ましい実施形態の教示に従って構成された、骨および他の組織を切断するための外科用機器が示され、全体的に参照数字１００で特定される。外科用機器１００は、開頭術を行うために患者Ａと動作的に結び付けて示される。本発明が特定のいかなる外科的用途にも限定されるものではなく、骨または他の組織の切断に所望されるさまざまな用途に有用であることは、当業者には明らかとなるであろう。
【００１１】
図２を参照すると、外科用機器１００が一般に、モータアセンブリ１０２と、モータアセンブリ１０２に結合された取付け部１０４と、取付け部１０４およびモータアセンブリ１０２に結合された外科用ツール１０６とを含むことが示されている。この好ましい実施形態では、外科用ツール１０６は、切削ツール（a cutting tool）または切断ツール（a dissection tool）であるが、本発明を実施するのにツールの種類は重要ではない。切断ツール１０６の遠位端は、切削要素など、特定の処置向けに適合された要素を含む。取付け部１０４は、外科的処置中に、外科医が使用するための把持面を提供することができ、また機器１００の内部を覆うことができる。
【００１２】
外科用機器１００は、加圧流体源（たとえば空気または窒素）を管１１０を通してモータアセンブリ１０２に供給するためのホースアセンブリ１０８と、モータアセンブリ１０２を通った後の流体を排出するためのホースアセンブリ１０８中の通路１１２とに連結されていることが示されている。典型的には、ホースアセンブリ１０８は患者から離間されたフィルタシステム（図示せず）に連結され、排出流体はフィルタシステムを通った後にシステムから排出される。以下で説明する例示的な実施形態では、外科用機器１００は空圧的に動力を与えられる。ただし、さらに、本明細書で論じられる教示の多くが、他の動力源を使用する外科用機器にも同様に適用されることを理解されたい。
【００１３】
次に図３ａを参照すると、図２のモータアセンブリ１０２の一実施形態が詳細に示されている。モータアセンブリ１０２は、全般的に円筒形の内部チャンバ２０４を画定する内面２０２を有するモータハウジング２００を含む。モータハウジング２００は、たとえば、内部チャンバ２０４内に延在する内肩部（図示せず）と、以下でさらに詳しく説明する、モータハウジング２００とモータアセンブリ１０２の他の構成部品との間を封止するためのシール（図示せず）とを含むことができる。シールは、製品ルーロン−Ｊ（ＲＵＬＯＮ−Ｊ）など、混合した形のＰＴＦＥフルオロカーボンと他の不活性成分とを含む材料から作ることができる。この材料は、潤滑をほとんどまたは全く必要とせずに、比較的低い摩擦係数を有するシールを提供する。
【００１４】
モータアセンブリ１０２はさらに、軸受係合面３００ａを有する軸受保持器部材３００と、結合部材３０２ａを含む締め具３０２と、第１の軸受孔３０４ａを画定する第１の軸受３０４と、栓３０６と、回転可能なシャフト３０８の長さに沿って延在する複数の羽根３０８ａと両側に対になった結合端３０８ｂ、３０８ｃとを含む回転可能なシャフト３０８と、軸受板孔３１０ａを画定する軸受板３１０と、第２の軸受孔３１２ａを画定する第２の軸受３１２とを含み、そのすべてが以下にさらに詳しく説明するようにして、ハウジング部材４００内に位置し、および／または結合される。
【００１５】
次に図３ａ、３ｂ、３ｃ、３ｄ、３ｅ及び３ｆを参照すると、ハウジング部材４００は、細長く、全般的に円筒形状である一体型基体４０２を含み、一体型基体４０２は第１の端部４０２ａと、第１の端部４０２ａとは反対の側に位置する第２の端部４０２ｂとを有する。図示の実施形態では、以下で説明するように、ハウジング部材４００は、材料中でまたは材料中へと画定されるさまざまな特徴を有する単体の材料片である。単体の均質材料がハウジング部材４００を形成するところが示されているが、非均質材料、たとえば、異なる材料で被覆された基板材料などを加えて、一体型ハウジング部材４００を形成してもよいことが企図される。一実施形態では、ハウジング部材４００はステンレス鋼で製作される。一実施形態では、ハウジング部材４００はセラミックで製作されてよく、および／またはハウジング部材４００を摩損（abrasive wear）に対してより耐性のあるものにするために被覆を含んでよい。一実施形態では、ハウジング部材は機械加工される。加圧流体入口４０４が、基体４０２によって画定され、基体４０２の第１の端部４０２ａから、基体４０２の長手軸Ｂに沿って、基体４０２の第２の端部４０２ｂに向かって延在する。第１の軸受ハウジング４０６が、基体４０２によって画定され、加圧流体入口４０４に直接隣接して位置する。結合孔４０８は、基体４０２によって、第１の軸受ハウジング４０６に直接隣接して位置する内部フランジ４１０によって画定される。回転子ハウジングチャンバ４１２は、基体４０２によって画定され、第１の軸受ハウジング４０６とは反対の側の内部フランジ４１０および結合孔４０８に直接隣接して位置する。第２の軸受ハウジング４１４は、基体４０２によって画定され、回転子ハウジングチャンバ４１２に隣接する板係合壁４１４ａと基体４０２の第２の端部４０２ｂとの間に延在する。流路４１６は、基体４０２によって画定され、実質的に平行な向きであるが基体４０２の長手軸Ｂから径方向に離間されて流路入口４１６ａから延在し、それにより流路４１６が、加圧流体入口４０４と、第１の軸受ハウジング４０６と、内部フランジ４１０と、回転子ハウジングチャンバ４１２の一部とに隣接して、軸方向同位置に配置される。流路入口４１８が、流路４１６に対してある角度に向いて基体４０２によって画定され、加圧流体入口４０４と流路４１６の間に流体通路を形成する。図示の実施形態では、流路入口４１８は、流路４１６に対して４５度の角度に向いている。複数の回転子ハウジング高圧流体入口４２０が、基体４０２によって画定され、高圧流路４１６と回転子ハウジングチャンバ４１２との間に流体通路を形成する。複数の回転子ハウジング流体出口４２２が、基体４０２によって画定され、回転子ハウジングチャンバ４１２と基体４０２の外側との間に流体通路を形成する。
【００１６】
次に図３ａ及び３ｇを特に参照すると、組み立てた形状において、複数の羽根３０８ａが、基体４０２の回転子ハウジングチャンバ４１２内に位置する回転可能なシャフト３０８に取り付けられている。回転可能なシャフト３０８の結合端３０８ｂが、結合孔４０８を通って第１の軸受ハウジング４０６内に延在し、回転可能なシャフト３０８の結合端３０８ｃは、第２の軸受ハウジング４１４を通り基体４０２の第２の端部４０２ｂを越えて外に延在する。回転可能なシャフト３０８が、軸受板３１０によって画定される軸受板孔３１０ａを通って延在するように、軸受板３１０が第２の軸受ハウジング４１４内に位置し、板係合壁４１４ａに係合する。回転可能なシャフト３０８が第２の軸受孔３１２ａを通って延在し、第２の軸受３１２により回転可能に支持されるように、第２の軸受３１２が第２の軸受ハウジング４１４内に位置し、軸受板３１０に係合する。図示の実施形態では、第２の軸受３１２は、軸受ハウジング４１４の内壁との摩擦係合または締まり嵌めによって定位置に保持される。代替の実施形態では、接着剤を用いて第２の軸受３１２を定位置に保持してよい。
【００１７】
回転可能なシャフト３０８の結合端３０８ｂが第１の軸受孔３０４ａ中に延在し、第１の軸受３０４によって回転可能に支持されるように、第１の軸受３０４が第１の軸受ハウジング４０６内に位置し、内部フランジ４１０に係合する。締め具３０２上の結合部材３０２ａは回転可能なシャフト３０８上の結合端３０８ｂに係合し、締め具３０２は第１の軸受３０４に係合する。軸受係合面３００ａが第１の軸受３０４に係合するように、軸受保持器部材３００は、その一部が第１の軸受ハウジング４０６および加圧流体入口４０４中に位置する。流路４１６中の加圧流体が、流路開口４１６ａを通って流路４１６から漏れることがないように、栓３０６が流路開口４１６ａ中に位置する。図示の実施形態では、流路開口４１６ａは流路４１６を製作した結果できるものであり、その製作には、ハウジング部材４０２の第１の端部４０２ａから基体４０２中へと、流路４１６に穴を開けることが必要となる。次いで、加圧流体が流路開口４１６ａを通って流路４１６から漏れるのを防ぐために、栓３０６が流路開口４１６ａ中に恒久的に圧入される。しかしながら、代替の実施形態では、以下に説明する図５に示す代替の実施形態５００のように、流路開口４１６ａおよび栓３０６の必要性をなくした流路４１６の製作技法を含むことができる。さらなる実施形態では、第１の軸受ハウジング４０６と回転子ハウジングチャンバ４１２と第２の軸受ハウジング４１４の間に流体耐密封通路（a fluid tight passageway）が形成され、流路４１６内に導入される加圧流体が、回転子ハウジング流体入口４２０を通って回転子ハウジングチャンバ４１２内に流れ込み、回転子ハウジング流体出口４２２から流れ出し、第１の軸受ハウジング４０６または第２の軸受ハウジング４１４を通って漏れることはないように、ハウジング部材４００中に追加のシールを設けることができる。
【００１８】
引き続き図３ａ及び３ｇを参照し、さらに図４を参照すると、動作においては、軸受保持器部材３００、締め具３０２、第１の軸受３０４、栓３０６、回転可能なシャフト３０８、軸受板３１０、および第２の軸受３１２を含むハウジング部材４００が、モータハウジング２００内の内部チャンバ２０４に位置決めされている。図示の実施形態では、大部分の排気圧がホースアセンブリ１０８中に流れ込み、通路１１２を通って流れるように、ハウジング部材４００とモータハウジング２００の間の係合によって、排気圧がハウジング部材４００を取り囲むことができる。別の実施形態では、ハウジング部材４００とモータハウジング２００の間の係合が流体耐密シールを作り出す。さらなる実施形態では、ハウジング部材４００とモータハウジング２００の間に流体耐密シールが形成される。次いで、管１１０がハウジング部材４０２の第１の端部４０２ａに結合され、管１１０と加圧流体入口４０４の間に加圧流体のための封止された通路を形成するように、ホースアセンブリ１０８がモータハウジング２００に結合される。ホースアセンブリ１０８とモータハウジング２００の間にもシールが形成される。回転可能なシャフト３０８の結合端３０８ｃを、たとえばコレット（a collet）を用いて外科用ツール１０６（図示せず）に結合することができる。
【００１９】
次いで、０〜１０３４０００Ｐａ（１５０ｐｓｉ）の範囲の加圧流体が、ホースアセンブリ１０８内の管１１０から加圧流体入口４０４に入るが、外科用機器１００のユーザが加圧流体の圧力をこの範囲の間に調節できるように、制御機構を設けることができる。一実施形態では、モータアセンブリ上流の加圧流体の圧力は８２７４００Ｐａ（１２０ｐｓｉ）に設定される。一実施形態では、モータアセンブリ上流の加圧流体の圧力は６８９５００Ｐａ（１００ｐｓｉ）に設定される。一実施形態では、モータアセンブリ上流の加圧流体の圧力損失は６８９５０Ｐａ（１０ｐｓｉ）〜２０６９００Ｐａ（３０ｐｓｉ）であり得る。軸受保持器部材３００と第１の軸受３０４の間のシール、および栓３０６と流路開口４１６ａとの間のシールにより、加圧流体は流路入口４１８を通って流路４１６中へと導かれる。次いで、加圧流体は回転子ハウジング流体入口４２０を通って、回転子ハウジングチャンバ４１２内へと導かれる。回転子ハウジングチャンバ４１２を通って、回転子ハウジング流体入口４２０から回転子ハウジング流体出口４２２に向かって加圧流体が移動するとき、流体は羽根３０８ａに衝突して回転可能なシャフト３０８を回転させる。一実施形態では、回転可能なシャフト３０８と回転子ハウジングチャンバ４１２の中心線が同一直線上にあるときに比べて大きなトルクを作成するために、回転可能なシャフト３０８の中心線を、回転子ハウジングチャンバ４１２の中心線から外してもよい。次いで低圧流体は、回転子ハウジング流体出口４２２を通って回転子ハウジングチャンバ４１２から出て、管１１０とホースアセンブリ１０８との間にあるホースアセンブリ１０８中の排出流体通路１１２を通って戻る。一実施形態では、膨張およびエネルギー交換によって流体は圧力を失い、たとえば、モータアセンブリ１０２上流の流体の圧力が８２７４００Ｐａ（１２０ｐｓｉ）のとき、動圧１３７９００Ｐａ〜２０６９００Ｐａ（２０〜３０ｐｓｉ）であり得る。これにより、従来の回転子ハウジングに比べてモータアセンブリの簡略化した組立てを可能にするハウジング部材を含み、モータアセンブリ中で使用される構成部品の数を少なくすることによって流体漏出を起こすのに用いられ得る通路を減らす、外科用機器が提供される。外科用機器１００を気体流体により空圧的に動力を与えられるものとして説明してきたが、たとえば、液体流体により外科用機器に液圧的に動力を与えるなど、他の動力供給の方式が企図される。
【００２０】
次に図５を参照すると、代替の実施形態では、ハウジング部材５００は、その設計および動作において、図３ａ、３ｂ、３ｃ、３ｄ、３ｅ、３ｆ、３ｇ及び４を参照して前述したハウジング部材４００と実質的に同様であり、ただし、ハウジング部材５００の基体４０２によって画定される開口５０２が流路４１６に隣接して位置する。シール溝５０４が基体４０２によって画定され、開口５０２の周囲に位置する。シール溝５０６が基体４０２によって画定され、基体４０２の円周上で開口５０２と基体４０２の第２の端部４０２ｂの間に位置する。組立てにおいては、シールがモータハウジング２００の内面２０２に係合し、ハウジング部材５００とモータハウジング２００の間に流体耐密シールを形成するように、ハウジング部材５００は、ハウジング部材４００について前述したのとほぼ同様に、モータハウジング２００の内部チャンバ２０４内に位置決めされ、ただし、シール（図示せず）がシール溝５０４および５０６に位置する。動作においては、ハウジング部材５００はハウジング部材４００とほぼ同様に動作し、シール溝５０４および５０６中のシールが、加圧流体を、流路４１６を通して回転子ハウジング高圧流体入口４２０中へと導く。開口５０２を設けることにより、加圧流体がハウジング部材５００を通って移動するための、ハウジング部材４００に比べて大きな容積が提供され、加圧流体がハウジング部材５００の流路４１６を通って移動する際に加圧流体が受ける圧力降下が、ハウジング部材４００に比べて減少する。さらに開口５０２によって、流路開口４１６ａを製作する必要なしに通路４１６を製作することが可能になり、栓３０６が不要となる。
【００２１】
本発明をその好ましい実施形態に関して特に示し、説明してきたが、本発明の精神および範囲から逸脱せずに、形態および細部におけるさまざまな変更がその中で可能であることを当業者は理解するであろう。さらに、同様の結果を達成するために、ハウジングおよび／または構成部品を他の適切な要素で置き換えることができる。加えて、さまざまな材料を使用してさまざまな構成部品を形成することができ、構成部品の相対的な寸法は変更可能である。したがって、特許請求の範囲は、本発明と整合するように広く解釈されるべきである。
〔態様１〕
動力式外科用機器のためのハウジング部材であって、
一体型基体と、
前記基体によって画定される回転子ハウジングチャンバと、
前記基体によって画定され、前記回転子ハウジングチャンバに隣接して位置する第１の軸受ハウジングと、
前記基体によって画定され、前記回転子ハウジングチャンバの、前記第１の軸受ハウジングとは反対の側に位置する第２の軸受ハウジングと、
前記基体によって画定され、当該基体を通って前記回転子ハウジングチャンバへと加圧流体を導くように動作可能な流路と
を備えるハウジング部材。
〔態様２〕
態様１記載のハウジング部材において、
前記基体によって画定され、前記第１の軸受ハウジングの、前記回転子ハウジングチャンバとは反対の側に位置する加圧流体入口を更に備えるハウジング部材。
〔態様３〕
態様２記載のハウジング部材において、
前記基体によって画定され、前記第１の軸受ハウジングと前記加圧流体入口の間に位置する流路入口を更に備え、それにより当該加圧流体入口に入る加圧流体が当該流路入口を通って前記流路に入る、ハウジング部材。
〔態様４〕
態様１記載のハウジング部材において、
前記基体によって画定される回転子ハウジング流体入口を更に備え、それにより流路中の加圧流体が当該回転子ハウジング流体入口を通って前記回転子ハウジングチャンバに入る、ハウジング部材。
〔態様５〕
態様１記載のハウジング部材において、
前記基体によって画定される回転子ハウジング流体出口を更に備え、それにより前記回転子ハウジングチャンバ内の流体が当該回転子ハウジング流体出口を通って当該回転子ハウジングチャンバから出る、ハウジング部材。
〔態様６〕
態様１記載のハウジング部材において、
前記基体によって画定され、栓を受け入れるように動作可能な流路開口を更に備えるハウジング部材。
〔態様７〕
動力式外科用機器のためのアセンブリであって、
一体型基体と、
前記基体によって画定される回転子ハウジングチャンバと、
前記基体によって画定され、前記回転子ハウジングチャンバに隣接して位置する第１の軸受ハウジングと、
前記基体によって画定され、当該基体を通って前記回転子ハウジングチャンバへと加圧流体を導くように動作可能な流路と、
前記第１の軸受ハウジング内に位置する第１の軸受と、
前記回転子ハウジングチャンバ内に位置し、前記第１の軸受に係合する回転可能なシャフトと
を備えるアセンブリ。
〔態様８〕
態様７記載のアセンブリにおいて、
前記基体によって画定され、前記回転子ハウジングチャンバの、前記第１の軸受ハウジングとは反対の側に位置する第２の軸受ハウジングと、
前記第２の軸受ハウジング内に位置する第２の軸受とを更に備え、
前記回転可能なシャフトが前記第２の軸受に係合する、アセンブリ。
〔態様９〕
態様８記載のアセンブリにおいて、
前記第２の軸受ハウジング内に位置し、前記第２の軸受に隣接して位置する軸受板を更に備えるアセンブリ。
〔態様１０〕
態様７記載のアセンブリにおいて、
前記第１の軸受ハウジング内に少なくとも部分的に位置し、前記第１の軸受および前記回転可能なシャフトに係合する締め具を更に備えるアセンブリ。
〔態様１１〕
態様７記載のアセンブリにおいて、
前記第１の軸受ハウジング内に少なくとも部分的に位置し、前記第１の軸受に係合する軸受保持器部材を更に備えるアセンブリ。
〔態様１２〕
態様７記載のアセンブリにおいて、
前記基体によって画定され、前記第１の軸受ハウジングの、前記回転子ハウジングチャンバとは反対の側に位置する加圧流体入口を更に備えるアセンブリ。
〔態様１３〕
態様１２記載のアセンブリにおいて、
前記基体によって画定され、前記第１の軸受ハウジングと前記加圧流体入口との間に位置する流路入口を更に備え、それにより当該加圧流体入口に入る加圧流体が前記流路入口を通って前記流路に入る、アセンブリ。
〔態様１４〕
態様７記載のアセンブリにおいて、
前記基体によって画定される回転子ハウジング流体入口を更に備え、それにより前記流路中の加圧流体が、前記回転子ハウジング流体入口を通って前記回転子ハウジングチャンバに入り、前記回転可能なシャフトに係合する、アセンブリ。
〔態様１５〕
態様７記載のアセンブリにおいて、
前記基体によって画定される回転子ハウジング流体出口を更に備え、それにより前記回転子ハウジングチャンバ内の流体が、前記回転子ハウジング流体出口を通って当該回転子ハウジングチャンバから出る、アセンブリ。
〔態様１６〕
態様７記載のアセンブリにおいて、
前記基体によって画定され、栓を受け入れるように動作可能な流路開口を更に備えるアセンブリ。
〔態様１７〕
外科用機器に動力を与えるための方法であって、
回転子ハウジングチャンバを画定する一体型基体と、当該回転子ハウジングチャンバに隣接する第１の軸受ハウジングと、当該回転子ハウジングチャンバに結合される流路とを備える外科用機器アセンブリを提供する工程であって、前記外科用機器が、当該回転子ハウジングチャンバ内に位置し、当該第１の軸受ハウジング内に位置する第１の軸受に係合する回転可能なシャフトを更に備える、工程と、
加圧流体源を前記一体型基体に結合する工程と、
前記回転子ハウジングチャンバ内で前記回転可能なシャフトを回転させるために、前記加圧流体源から前記流路を通して高圧流体を供給する工程と
を含む方法。
〔態様１８〕
態様１７記載の方法において、
前記一体型基体が、前記回転子ハウジングチャンバの、前記第１の軸受ハウジングとは反対側に位置する第２の軸受ハウジングを画定し、それにより第２の軸受が、前記第２の軸受ハウジング内に位置し、前記回転可能なシャフトに係合する、方法。
〔態様１９〕
態様１７記載の方法において、
前記回転子ハウジングチャンバと、前記第１の軸受ハウジングと、前記第２の軸受ハウジングとの間に、実質的な流体耐密シールを提供する工程を更に含む方法。
〔態様２０〕
態様１７記載の方法において、
前記加圧流体源から前記流路を通して高圧流体を供給する前記工程が、当該流路に対してある角度に向いた加圧流体入口を通して高圧流体を導く工程を含む、方法。
【図１】
0005479917.tif 000002
【図２】
0005479917.tif 000003
【図３ａ】
0005479917.tif 000004
【図３ｂ】
0005479917.tif 000005
【図３ｃ】
0005479917.tif 000006
【図３ｄ】
0005479917.tif 000007
【図３ｅ】
0005479917.tif 000008
【図３ｆ】
0005479917.tif 000009
【図３ｇ】
0005479917.tif 000010
【図４】
0005479917.tif 000011
【図５】
0005479917.tif 000012